(57)【特許請求の範囲】
【請求項１】
それぞれ薬品を収容すると共に収容した薬品を排出する排出機構を有し、上下方向に複数段配置される複数の薬品容器と、前記排出機構を駆動して各薬品容器より薬品を取り出すための駆動手段と、前記駆動手段によって各薬品容器から取り出された薬品を所定の場所へ案内するための案内手段とを備えた薬品庫において、前記薬品容器を上下方向に複数の組に分割し、各組毎の薬品容器を前記案内手段と分離して引き出し可能とした複数の引出体と、前記案内手段を各組毎の薬品容器と分離して引き出し可能とした別の引出体とを備えたことを特徴とする薬品庫。
【発明の詳細な説明】
【０００１】
【発明の属する技術分野】
本発明は、それぞれ薬品を収容する薬品容器を複数個収納する薬品庫に関する。
【０００２】
【従来の技術】
一般に、病院薬局等の医療機関で取り扱われる薬品には、錠剤，散薬等の内用薬や、外用薬、注射薬等の種類がある。これらの薬品は、製薬メーカから箱詰めされて医療機関に納入されるものであるが、医療機関では使用に先立ち、薬品を取り出し可能に収容する適宜の薬品容器に、必要な薬品をそれぞれ収容しておくことが好ましい。そのため、このような用途に供される機器として、それぞれ錠剤を収容すると共に必要なときに供給する多数の錠剤フィーダを備えた錠剤分包機が種々実用化され、また、散薬やその他の薬品を取り扱う同様な装置についても開発が進められている。
【０００３】
例えば前述の錠剤分包機は、多数の錠剤フィーダと、その下方に配置されて、各錠剤フィーダから取り出された錠剤を包装する包装装置とを備えている。この錠剤分包機のうち、多数の錠剤フィーダが配置された構成部分は、各種の薬品を取り出し可能に収容した部分という意味で薬品庫と称することができる。そして、この薬品庫には、多数の錠剤フィーダと、各錠剤フィーダから取り出された錠剤を包装装置へ向けて落下させる案内経路部材とが設けられる。
【０００４】
このような錠剤分包機において、薬品庫には、一般にできるだけ多数の錠剤フィーダを配置することが求められる。そのため、包装装置の上方空間に、包装装置の幅寸法と奥行寸法とを目安として薬品庫を設置し、この薬品庫内に、その前後、左右、上下のいずれの方向にも、それぞれ複数ずつ錠剤フィーダを配置するのが一般的である。そして、従来は、各錠剤フィーダに必要に応じて錠剤を補給することができるように、複数の錠剤フィーダを前後方向に１列に並べ、これを上下方向に複数段配置したものを、包装装置を含む錠剤分包機全体のハウジングから手前に引出し可能な引出体として構成し、このような引出体を左右方向に複数列配置して薬品庫を構成している。
【０００５】
【発明が解決しようとする課題】
しかしながら、このような従来の薬品庫では、各引出体が薬品庫の上下間の高さを有しており、各引出体に、１段１列当たり複数個ある錠剤フィーダを上下方向の全段分配置しているため、各引出体単体の重量がかなり重くなることが避けられず、引出体を引き出すのに多大な力が必要となり、薬品補充等の作業の作業性が悪いという問題点があった。また、重い引出体を引き出し可能に支持するハウジングは充分な強度を持つことが要求されるうえ、引出体を引き出した際に重心の移動により錠剤分包機全体が転倒しないように、ハウジング前方に対する充分な転倒防止策を講じる必要がある等の問題点があった。
【０００６】
なお、実開平３−４０９０１号公報には、複数の錠剤フィーダを載置する左右一対の棚を有する引き出しを、上下方向に多段に設けた錠剤分包機が開示されている。しかしながら、この錠剤分包機では、左右一対の棚の間に錠剤の案内路を形成しているため、任意の引き出しを引き出した状態では、案内路の一部が無い状態となるため、上下方向に配置された他の引き出しに載置された錠剤フィーダから錠剤を取り出すことができないという問題点がある。
【０００７】
本発明はかかる問題点に鑑みてなされたもので、その課題は、薬品容器を引き出すための引出体単体の重量を軽量化することができるようにすると共に、任意の引出体を引き出した状態でも他の引出体に対応する薬品容器から薬品を取り出すことができるようにした薬品庫を提供することにある。
【０００８】
【課題を解決するための手段】
本発明の薬品庫は、それぞれ薬品を収容すると共に収容した薬品を排出する排出機構を有し、上下方向に複数段配置される複数の薬品容器と、排出機構を駆動して各薬品容器より薬品を取り出すための駆動手段と、駆動手段によって各薬品容器から取り出された薬品を所定の場所へ案内するための案内手段とを備えた薬品庫において、薬品容器を上下方向に複数の組に分割し、各組毎の薬品容器を案内手段と分離して引き出し可能とした複数の引出体をを備えたものである。
【０００９】
この薬品庫では、薬品容器を上下方向に複数の組に分割し、各引出体が各組毎の薬品容器を案内手段と分離して引き出すようにしたので、引出体が上下方向の全段分の薬品容器を一括して引き出すようになっていた従来の薬品庫に比べて、各引出体単体の重量が軽量化される。また、任意の引出体を引き出した状態でも、案内手段は引き出されずに残るため、他の引出体に対応する薬品容器から薬品を取り出すことが可能となる。
【００１０】
【発明の実施の形態】
以下、本発明の実施の形態について図面を参照して詳細に説明する。
【００１１】
図３は本発明の第１の実施の形態に係る薬品庫を含む錠剤分包機の正面図である。この錠剤分包機１は、それぞれ、薬品（錠剤）を取り出し可能に収容した薬品容器（図３では図示せず。）を複数個収納すると共に、各薬品容器から取り出された薬品を下方に案内するための案内経路部材（図３では図示せず。）とを有する薬品庫２と、この薬品庫２の下方に配置され、各薬品容器から取り出された薬品を包装する包装装置３と、薬品庫２と包装装置３との間に設けられ、各薬品容器から取り出された薬品を包装装置３へ導く漏斗状のシュート４とを備えている。薬品庫２には、前後、左右、上下のいずれの方向にもそれぞれ複数ずつ薬品容器が配置されている。薬品庫２は、薬品容器を１段１列分毎、上下方向および左右方向に複数の組に分割し、各組毎の複数の薬品容器を一括して手前に引き出し可能な複数の引出体１０を有している。従って、引出体１０は、左右方向に複数列、上下方向に複数段配置されている。各引出体１０は、前端部に前面パネル１１を有し、この前面パネル１１には、引出体１０を手前に引き出すための把手１２が設けられている。複数の引出体１０、包装装置３およびシュート４は、錠剤分包機１の全体のハウジング５内に収納されている。
【００１２】
図１は本発明の第１の実施の形態に係る薬品庫の一部を示す縦断面図、図２は図１のＡ−Ａ′線断面図である。これらの図に示したように、薬品庫２では、ハウジング５内の空間のうち薬品庫２として空間を１列毎に仕切る仕切部２１と、この仕切部２１によって仕切られた１列分の空間を更に１段毎に仕切る仕切部２２とが設けられている。これらの仕切部２１，２２はハウジング５に対して固定されている。各仕切部２２の上面には、前後方向に延びるレール保持部２３が固着されている。レール保持部２３は、左右両端側が上方に屈曲され、この屈曲部分の外側にそれぞれ前後方向に延びるレール２４が固着されている。各引出体１０は、レール２４，２４の上方に配置され、レール２４，２４に沿って移動可能な移動体１３を有している。移動体１３は、左右両端側がそれぞれレール２４，２４の外側に位置するように下方に屈曲され、この屈曲部分にそれぞれレール２４，２４に対して移動可能に嵌合する嵌合部１３ａ，１３ａが設けられている。移動体１３の前端部は前面パネル１１に接合されている。
【００１３】
移動体１３上には、それぞれ薬品（錠剤）を収容する複数の薬品容器３１が１列に配置され、移動体１３とレール保持部２３とで囲われた空間内には、各薬品容器３１に対応するように複数の駆動部３２が１列に配置されている。各駆動部３２は、図示しないモータと、このモータによって回転駆動される回転軸３２ａとを有している。移動体１３には、駆動部３２の回転軸３２ａに対応する位置に、回転軸３２ａの直径よりも大きい直径を有する孔が形成されている。本実施の形態では、駆動部３２は、連結部３４を介して移動体１３に対して固定されている。各薬品容器３１は、移動体１３に対して着脱自在に装着されるようになっている。また、各薬品容器３１は、移動体１３に装着したときに、移動体１３に形成された孔を介して駆動部３２の回転軸３２ａに連結され、回転軸３２ａによって駆動されて、収容している薬品（錠剤）を１錠ずつ図示しない排出口から排出する図示しない薬品排出機構を有している。例えば、駆動部３２の回転軸３２ａの上端側は歯車になっており、一方、薬品容器３１の薬品排出機構における駆動部３２の回転軸３２ａとの連結部は、回転軸３２ａの上端側の歯車に噛み合う内歯車になっている。各駆動部３２は、錠剤分包機１内の図示しない制御部によって、外部より入力された処方箋データに基づいて制御され、必要な個数だけ薬品（錠剤）を排出するように薬品容器３１の薬品排出機構を駆動するようになっている。
【００１４】
仕切部２２，２３によって仕切られた１段１列毎の空間内において薬品容器３１の左側の部分には、垂直方向に延びる薬品通路を有し、各薬品容器３１から取り出された薬品を下方に案内するための案内経路部材３３が設けられている。案内経路部材３３は、図１に示したように１段毎に分割され、図２に示したように１段１列分の複数の薬品容器３１について１つずつ設けられている。各案内経路部材３３には、１段１列分の各薬品容器３１の排出口に対応する位置に、各排出口から排出される薬品を受ける複数の受け部３３ａが形成されている。なお、移動体１３は、薬品容器３１の排出口と案内経路部材３３の受け部３３ａとの間に位置する部分が切り欠かれている。各案内経路部材３３の上下端は開放され、上側の案内経路部材３３を通過した薬品が下側の案内経路部材３３に入るようになっている。なお、仕切部２２は、案内経路部材３３が配置されている部分には形成されていない。最下段の案内経路部材３３を通過した薬品は、シュート４を経て包装装置３に達するようになっている。案内経路部材３３は、連結部３６を介してハウジング５または仕切部２１に対して固定されている。
【００１５】
上述のように、本実施の形態では、各引出体１０の移動体１３に対して、１段１列分の薬品容器３１が着脱自在に装着されると共に１段１列分の駆動部３２が固定されているので、引出体１０をハウジング５から手前に引き出すと、引出体１０と共に１段１列分の薬品容器３１および駆動部３２が、案内経路部材３３と分離して、一括して引き出されるようになっている。なお、引出体１０の移動体１３の後端部とハウジング５の内壁の対応する部分とには、互いに係合して引出体１０を固定するストッパを構成する係合部材が取り付けられている。このストッパは、引出体１０を押し込んだときに両係合部材が係合して引出体１０を固定すると共に、所定以上の大きさの力で引出体１０を引いたときに両係合部材の係合が外れて引出体１０を引き出し可能とするようになっている。
【００１６】
次に、本実施の形態に係る薬品庫の作用について説明する。薬品庫２の各薬品容器３１には、それぞれ所定の薬品が収容される。錠剤分包機１内の制御部による制御の下で、所定の駆動部３２が駆動されると、その駆動部３２に対応する薬品容器３１の薬品排出機構が駆動されて、薬品容器３１より所定個数の薬品が排出される。薬品容器３１より排出された薬品は、受け部３３ａより案内経路部材３３内に入り、１または複数の案内経路部材３３を通過し、更にシュート４を経て包装装置３に達する。
【００１７】
薬品容器３１に薬品を補給する等のために、任意の薬品容器３１を取り出す場合には、所望の薬品容器３１が装着されている引出体１０の把手１２を手で引いて、その引出体１０をハウジング５から手前に引き出す。本実施の形態では、各引出体１０の移動体１３に対して、１段１列分の薬品容器３１が着脱自在に装着されると共に１段１列分の駆動部３２が固定されているので、引出体１０を手前に引き出すと、引出体１０と共に１段１列分の薬品容器３１および駆動部３２が、案内経路部材３３と分離して、一括して引き出される。そして、引出体１０を引き出した状態で、引出体１０の移動体１３より所望の薬品容器３１を取り外すことが可能となる。
【００１８】
このように本実施の形態によれば、１段１列分の薬品容器３１毎に引出体１０を設けたので、各引出体が上下方向の全段分の薬品容器を一括して引き出すようになっていた従来の薬品庫に比べて、各引出体１０単体の重量が軽量化され、薬品容器３１に対する薬品補給等の作業を簡便に行うことが可能となる。また、ハウジング５の強度は従来に比べて小さくて済むと共に、引出体１０を引き出した際のハウジング５前方に対する転倒防止策は従来に比べて軽便なもので済む。また、引出体１０を手前に引き出すと、引出体１０と共に１段１列分の薬品容器３１および駆動部３２が一括して引き出されるが、案内経路部材３３は引き出されずにハウジング５内に残る。従って、引出体１０と共に案内経路部材３３も引き出されるようにした場合に比べて、より引出体１０単体の重量が軽量化されると共に、任意の引出体１０を引き出した状態でも、他の引出体１０に載置された薬品容器３１から、駆動部３２を駆動して薬品を取り出すことが可能となる。なお、本実施の形態では、案内経路部材３３は必ずしも１段毎に分割されている必要はなく、全段について連続していても良い。
【００１９】
図４は本発明の第２の実施の形態に係る薬品庫の一部を示す縦断面図、図５は図４のＢ−Ｂ′線断面図である。本実施の形態に係る薬品庫では、図５に示したように、１段１列毎の引出体は、１段１列分の薬品容器３１および駆動部３２を引き出すための引出体１０Ａと、１段毎に分割された案内経路部材３３を引き出すための引出体１０Ｂとに分割されている。引出体１０Ａ，１０Ｂはそれぞれ前面パネル１１Ａ，１１Ｂを有している。図示しないが、前面パネル１１Ａ，１１Ｂにはそれぞれ把手が設けられている。前面パネル１１Ａは移動体１３に接合され、前面パネル１１Ｂは、引出体１０Ｂを兼ねる案内経路部材３３に接合されている。ハウジング５の内壁または仕切部２１の案内経路部材３３に対向する面には、前後方向に延びるレール５１が固着されている。案内経路部材３３には、レール５１に対して移動可能に嵌合する嵌合部５２が設けられており、これにより、案内経路部材３３はレール５１に沿って前後方向にスライド可能になっている。
【００２０】
本実施の形態に係る薬品庫では、引出体１０Ａを手前に引き出すと、引出体１０Ａと共に１段１列分の薬品容器３１および駆動部３２が一括して引き出されるが、案内経路部材３３はハウジング５内に残る。一方、引出体１０Ｂを手前に引き出すと、１段毎に分割された案内経路部材３３のみが引き出される。従って、本実施の形態に係る薬品庫によれば、例えば案内経路部材３３の清掃を行う際に、所望の案内経路部材３３のみを引き出すことができ、案内経路部材３３の清掃が容易になる。また、案内経路部材３３を引き出すための引出体１０Ｂは、１段１列分の薬品容器３１、駆動部３２および案内経路部３３を一括して引き出し可能とした場合の引出体に比べると軽量であるため、案内経路部材３３の清掃等のために案内経路部３３を引き出す際の引き出し操作が容易になる。
【００２１】
本実施の形態のその他の構成、作用および効果は第１の実施の形態と同様である。
【００２２】
なお、本発明は上記各実施の形態に限定されず、例えば、本発明では、全段分の薬品容器を上下方向に複数の組に分割し、各組毎に引出体を設ければ良いので、各引出体は必ずしも１段１列毎に設けられる必要はなく、各引出体がそれぞれ２段以上の薬品容器３１等を一括して引き出すように構成しても良いし、各引出体がそれぞれ２列以上の薬品容器３１等を一括して引き出すように構成しても良い。また、本発明は、錠剤に限らず、アンプル、バイアル、輸液、散薬、各種外用薬、その他適宜の薬品を収容する薬品庫に適用することができる。また、薬品を所定の場所（薬品の集合，集積場所）に導く案内手段として、案内経路部材の代わりに、各薬品容器における薬品排出部まで移動して各薬品容器より薬品を受け取って所定の集合，集積場所に搬送する搬送装置を設けても良い。
【００２３】
【発明の効果】
以上説明したように本発明の薬品庫によれば、薬品容器を上下方向に複数の組に分割し、各引出体が各組毎の薬品容器を案内手段と分離して引き出すようにしたので、引出体が上下方向の全段分の薬品容器を一括して引き出すようになっていた従来の薬品庫に比べて、各引出体単体の重量を軽量化することができ、そのため、薬品容器に対する薬品補給等の作業を簡便に行うことが可能になると共に引出体を引き出した際の転倒防止策は軽便なもので済むという効果を奏する。更に、本発明の薬品庫によれば、任意の引出体を引き出した状態でも、案内手段は引き出されずに残るため、他の引出体に対応する薬品容器から薬品を取り出すことができるという効果を奏する。
【図面の簡単な説明】
【図１】本発明の第１の実施の形態に係る薬品庫の一部を示す縦断面図である。
【図２】図１のＡ−Ａ′線断面図である。
【図３】本発明の第１の実施の形態に係る薬品庫を含む錠剤分包機の正面図である。
【図４】本発明の第２の実施の形態に係る薬品庫の一部を示す縦断面図である。
【図５】図４のＢ−Ｂ′線断面図である。
【符号の説明】
１  錠剤分包機
２  薬品庫
５  ハウジング
１０  引出体
１１  前面パネル
１２  把手
３１  薬品容器
３２  駆動部
３３  案内経路部材
【図１】
0003725237.tif 000002
【図２】
0003725237.tif 000003
【図３】
0003725237.tif 000004
【図４】
0003725237.tif 000005
【図５】
0003725237.tif 000006